(57)【要約】【課題】ソケット本体のベース基板に固設された一対の弾性接片から形成されるコンタクトがカバー部材の孔を通ってほぼ平行に、かつ直交する方向に末広がりに延び弾性接片の間にＩＣパッケージのＩＣリードが挟持されるようにする。【解決手段】装着されたＩＣパッケージと電気的接続を形成する複数個の側面挟み込み形のコンタクトと、コンタクトが固設されるソケット本体と、コンタクトを開閉する上下動可能なカバー部材とを有するＩＣソケットにおいて、カバー部材の上に前記ＩＣパッケージを支持する台座と位置決め台とが設けられ、台座の突部が位置決め台の孔から突出してＩＣパッケージを位置決めし、コンタクトの弾性接片が、カバー部材の孔に挿通され、カバー部材の上下動によって弾性接片が押圧、開放されて開閉作動され、カバー部材の上下動でコンタクトの先端部の間隔が変化されて開閉されるように形成されている。【選択図】　　　　図２
2004079274.tif 000002
【特許請求の範囲】
【請求項１】
装着されたＩＣパッケージと電気的接続を形成する複数個の側面挟み込み形のコンタクトと、該コンタクトが固設されたソケット本体と、前記コンタクトを開閉する上下動可能なカバー部材とを有するＩＣソケットにおいて、
前記カバー部材の上に前記ＩＣパッケージを支持する台座と位置決め台とが設けられ、該台座の突部が前記位置決め台の孔から突出して前記ＩＣパッケージを位置決めし、前記コンタクトの弾性接片が、前記カバー部材の孔に挿通され、前記カバー部材の上下動によって前記弾性接片が押圧、開放されて開閉作動され、前記カバー部材の上下動で前記コンタクトの先端部の間隔が変化されて開閉されるように形成されていることを特徴とするＩＣソケット。
【請求項２】
前記コンタクトは、一対のほぼＵ字形の弾性接片がほぼ平行に中立面内にて起立し、かつ先端部が中立面と直交する平面内にて前後方向に末広がりに延びるように基端部において互いに固着され、前記弾性接片の先端部間に前記ＩＣパッケージのＩＣリードが配置されて側面が挟み込まれることを特徴とする請求項１記載のＩＣソケット。
【請求項３】
前記弾性接片がほぼＵ字形の形状の方向とほぼ直交する方向に互いに先端部が対向方向にほぼＹ字形に形成されていることを特徴とする請求項２記載のＩＣソケット。
【請求項４】
前記カバー部材の孔が、前記コンタクトの先端部の広がりよりも狭くなっていることを特徴とする請求項１記載のＩＣソケット。
【請求項５】
前記コンタクトの弾性接片が、前記位置決め台の孔を貫通して延び、前記位置決め台が前記カバー部材と共に作動部材によって押上げられることを特徴とする請求項２記載のＩＣソケット。
【請求項６】
前記作動部材が、ラッチレバーから形成されていることを特徴とする請求項５記載のＩＣソケット。
【発明の詳細な説明】
【０００１】
【発明の属する技術分野】
本発明は、ソケット本体のコンタクトとＩＣパッケージの外部端子であるＩＣリードとの開閉を行う電子部品用ソケット、特に、ＩＣソケットに関するものであり、コンタクトの一対の弾性接片がＩＣパッケージのＩＣリードを両側から挟み込んで接続するように適用されるＩＣソケットに係わるものである。
【０００２】
【従来の技術】
従来、電気部品としての電子部品用のパッケージ、特に、ＩＣパッケージは、ＩＣソケットのソケット本体に装着し、格子状に形成された移動板を横方向に移動して、挟み込みコンタクトを開閉してＩＣパッケージと接続するようにしたＩＣソケットが知られている。
【０００３】
従来におけるこのようなＩＣソケットにおいては、挟み込みコンタクトが一対の弾性接片をほぼ平行に延びるように配置して成り、これら弾性接片の先端部の間にＩＣパッケージのＩＣリードのような外部端子を挟み込んで接続するように構成されている。
【０００４】
このような従来のＩＣソケットは、その一例として、ＩＣパッケージのＩＣリードを側面または底面においてコンタクトの一対の弾性接片によって挟み込んで接続するものが知られている。（例えば、特許文献１〜３参照。）
【０００５】
さらにまた、このような従来のＩＣソケットは、固定のソケット本体と、このソケット本体に基端部において固設された一対の弾性接片を有する複数個のコンタクトとを具え、コンタクトの弾性接片を開閉するために横方向に移動可能な移動板が設けられており、この移動板の孔内に弾性接片が配置されるように構成されている。
【０００６】
【特許文献１】
特許第２８１３５７５号公報（第２〜４頁、図３〜図１２）
【０００７】
【特許文献２】
特許第２９８０２３５号公報（第２〜５頁、図１〜図１１）
【０００８】
【特許文献３】
特許第２８０７７８９号公報（第３〜４頁、図１〜図４）
【０００９】
【発明が解決しようとする課題】
しかしながら、このような従来のＩＣソケットにおいては、ＩＣリードの上面や下面あるいはその両方をコンタクト部またはコンタクト以外の部品に挟み込んで接触させることによって電気的接触を行っているために、ＩＣリードの実装面に少なからずダメージを与えて損傷したり、別部品の接触に伴う異物の付着が生じたりする。
【００１０】
さらにまた、このような従来のＩＣソケットにおいては、コンタクトが、フリー状態において弾性接片へのＩＣパッケージのＩＣリード等の外部端子との挟み込み接触が良好に行なわれないことがしばしば発生して良好な接続が行われないために、厄介であり、さらに、ソケット本体に対するＩＣパッケージのセンターリングが得られ難く、コンタクトの先端部における接触位置が不安定である等のために、弾性接片がＩＣパッケージの外部端子であるＩＣリードを両側から挟み込んで良好な接触を得ることが難しく、ＩＣソケットのコンタクトとＩＣパッケージのＩＣリード等の外部端子との接触不良が発生して、良好な電気的接続が得られ難い等の問題が見られる。
【００１１】
従って、本発明の目的は、このような従来における問題を解決するために、ソケット本体を形成するベースベース基板に固設された一対の弾性接片から形成されるコンタクトの先端部が、カバー部材の孔を挿通して、ほぼ平行に、かつ直交する方向に末広がりに延び、これら弾性接片の間にＩＣパッケージのＩＣリード等の外部端子が配置されて、カバー部材の上下動によって外部端子の側面がコンタクトによって挟持されて良好な電気的接触を得るようにしたＩＣソケットを提供することにある。
【００１２】
【課題を解決するための手段】
上述の目的を達成するために、本発明のＩＣソケットは、装着されたＩＣパッケージと電気的接続を形成する複数個の側面挟み込み形のコンタクトと、該コンタクトが固設されたソケット本体と、前記コンタクトを開閉する上下動可能なカバー部材とを有するＩＣソケットにおいて、前記カバー部材の上に前記ＩＣパッケージを支持する台座と位置決め台とが設けられ、該台座の突部が前記位置決め台の孔から突出して前記ＩＣパッケージを位置決めし、前記コンタクトの弾性接片が、前記カバー部材の孔に挿通され、前記カバー部材の上下動によって前記弾性接片が押圧、開放されて開閉作動され、前記カバー部材の上下動で前記コンタクトの先端部の間隔が変化されて開閉されるように形成されていることを特徴とする。
【００１３】
また、本発明のＩＣソケットは、前記コンタクトが、一対のほぼＵ字形の弾性接片がほぼ平行に中立面内にて起立し、かつ先端部が中立面と直交する平面内にて前後方向に末広がりに延びるように基端部において互いに固着され、前記弾性接片の先端部間に前記ＩＣパッケージのＩＣリードが配置されて側面が挟み込まれることを特徴とする。
【００１４】
さらに、本発明のＩＣソケットは、前記弾性接片がほぼＵ字形の形状の方向とほぼ直交する方向に互いに先端部が対向方向にほぼＹ字形に形成されていることを特徴とする。
【００１５】
さらにまた、本発明のＩＣソケットは、前記カバー部材の孔が、前記コンタクトの先端部の広がりよりも狭くなっていることを特徴とする。
【００１６】
本発明のＩＣソケットは、前記コンタクトの弾性接片が、前記位置決め台の孔を貫通して延び、前記位置決め台が前記カバー部材と共に作動部材によって押上げられることを特徴とする。
【００１７】
また、本発明のＩＣソケットは、前記作動部材が、ラッチレバーから形成されていることを特徴とする。
【００１８】
本発明のその他の目的や特徴および利点は、添付図面に示される本発明のＩＣソケットの実施形態についての以下の詳細な説明から明らかである。
【００１９】
【発明の実施の形態】
（実施例）
図１乃至図６は、本発明のＩＣソケットにおける一実施例を示す図で、図１はＩＣソケットの全体を示す概要斜視図、図２は、コンタクトがＩＣパッケージのＩＣリードの側面を挟み込んだ時の断面概要部分図、図３は、フルストローク時のコンタクトがフリーな状態の時の同様な断面概要部分図で、図４はその平面部分図、図５は、コンタクトがＩＣパッケージのＩＣリードの側面を挟み込んだ時の位置決め台と作動部材とを示す図２と同様な断面概要部分図、図６は、フルストローク時のコンタクトがフリーな状態の時の位置決め台と作動部材とを示す図５と同様な断面概要部分図である。
【００２０】
図１に示されるように、本発明のＩＣソケットは、電子部品としてのＩＣパッケージを装着して電気的接続を形成する側面挟み込み形のコンタクトを有するタイプの電子部品用ソケット、特に、ＩＣソケットに係わるもので、このような本発明のＩＣソケットは、クワッド・フラット・リード・タイプやスモール・アウトライン・リード・タイプ（デュアル・フラット・リード・タイプ）のＩＣパッケージ等に適用することができるものであるが、上記タイプのＩＣパッケージに限られるものではなく、同様な、または類似のタイプの電子部品としてのＩＣパッケージに適用できることは勿論である。
【００２１】
図１乃至図６に示されるように、本発明のＩＣソケット１は、ソケット本体２と、上下動可能なカバー部材３と、装着されたＩＣパッケージ１０のＩＣリード１１と電気的接続を形成する複数個の側面挟み込み形のコンタクト４とを有しており、カバー部材３の上下動によってコンタクト４を形成する一対の弾性接片１２、１４の先端部の間にＩＣパッケージ１０のＩＣリード１１が挟み込まれて接続されるようにコンタクト４が側面挟み込み形のコンタクトとして形成されている。
【００２２】
このような本発明のＩＣソケット１において、ソケット本体２は、適宜なベース基板によって形成されており、装着されるＩＣパッケージ１０の外部端子であるＩＣリード１１に対応して複数個のコンタクト４が起立するように固設されている。
【００２３】
また、本発明のＩＣソケット１において、カバー部材３は、中央部分に窪み部が設けられていて、ＩＣパッケージ１０を装着できるように形成されており、さらに、このソケット本体２上の周辺部分に複数個のばね部材９、図示実施例では四隅に設けられた４個のばね部材９によって上下動可能に弾性支持されている。
【００２４】
さらに、本発明のＩＣソケット１においては、複数個のコンタクト４が、固定のベース基板によって形成されるソケット本体２に整列して固設されている。このようなコンタクト４は、ほぼ平行に起立するようにソケット本体２に固着されており、各コンタクト４の先端部４ａに溝７が設けられて先端部４ａがほぼＵ字形に形成されており、さらにまた、この先端部４ａのそれぞれの脚部が弾性接片１２、１４として設けられている。各コンタクト４のこれら弾性接片１２、１４は、弾性接片１２、１４が位置する中立面（紙面）と直交する方向（紙面に対して直角な方向）にほぼＹ字形に末広がりに延びるように先端部４ａにおいて弾性接片１２、１４が前後の方向にそれぞれ折曲されており、これらコンタクト４の先端部４ａの弾性接片１２、１４の間にＩＣパッケージ１０のＩＣリード１１が配置され、側面が挟み込まれることによって接続されるように形成されている。
【００２５】
すなわち、このようなコンタクト４は、導電性の帯状の金属薄板条片から作られており、上部に中心に沿って溝７が設けられることによって一対の弾性接片１２、１４がほぼＵ字形の形状に上方に延びるように形成され、これら一対の弾性接片１２、１４が形成されている中立面（紙面）の方向とほぼ直交する方向（紙面に対して直角な方向）に互いに先端部４ａが対向する方向（反対方向）に前後に折り曲げられていて、中立面と直交する方向に側面から見て先端部４ａがほぼＹ字形に末広がりになるように形成されている。
【００２６】
さらにまた、このようなコンタクト４は、一対の弾性接片１２、１４が、カバー部材３の孔１５に挿通されて、先端部４ａの間隔が、カバー部材３の上下動によって縮められたり広げられたりして、弾性接片１２、１４が開閉作動されるように構成されており、コンタクト４のこのような一対の弾性接片１２、１４の先端部分の間にＩＣパッケージ１０のＩＣリード１１が配置され、カバー部材３の上下動によってコンタクト４の先端部４ａが拡大、収縮されることによって開閉され、これによってＩＣパッケージ１０のＩＣリード１１が側面からコンタクト４によって挟み込まれて電気的に接続できるように形成されている。
【００２７】
従って、カバー部材３の孔１５は、コンタクト４の弾性接片１２、１４の厚さを加えた程度の大きさとほぼ同じ大きさの直径の孔であって、末広がりに拡大している弾性接片１２、１４をカバー部材３の上昇によって内側に絞り込んで、先端部４ａの間隔を内方に縮めてＩＣリード１１を挟み込むことができるように構成されたものである。なお、孔１５の下方部分を図示のようにテーパーを付けることによってＩＣソケット１の組立時のコンタクト４に対する装着を容易にすることができる。
【００２８】
また、本発明のＩＣソケット１においては、カバー部材３の上にＩＣパッケージ１０を支持する台座５と位置決め台６とが設けられており、位置決め台６の突部１７が台座５の孔１６から突出してＩＣパッケージ１０のＩＣリード１１を下方から支持することによって位置決めすることができ、これによってＩＣパッケージ１０のセンターリングができるようにＩＣパッケージ１０の載置、装着部分を形成している。さらにまた、コンタクト４の弾性接片１２、１４が、台座５の孔１８を貫通して延びている。また、この位置決め台６は、ラッチレバーのような作動部材８によって押上げられることによって突部１７によりＩＣパッケージ１０の自動的な位置決めを行うことができるように形成されている。
【００２９】
すなわち、図示されるように、作動部材８は、内側の先端部が位置決め台６の底面に当接しており、外側の先端部を手や適宜な手段にて押圧したり押上げることによって、例えば作動部材８の中間の枢動支持部をテコの中心として位置決め台６を上下動することができるように形成されている。従って、このような作動部材８による位置決め台６の上下動によってＩＣパッケージ１０の支持と位置決めとを自動的に行うことができ、カバー部材３の上下動によるコンタクト４の開閉作動と連動して、位置決め台６を上下動してＩＣパッケージ１０の位置決めを行うように作動することができる。また、台座５の周辺にはポストガイド部１３が設けられていて、ＩＣパッケージ１０の装着の時に、台座５に対してＩＣパッケージ１０を良好にガイドして装着が容易にできるようにしている。
【００３０】
このように、本発明のＩＣソケット１は、ソケット本体２を形成する固定のベース基板にコンタクト４が平行に起立するように固設されており、これらコンタクト４の先端部４ａにおける弾性接片１２、１４が末広がりに折曲されていて、これら弾性接片１２、１４の間にＩＣパッケージ１０のＩＣリード１１を挟み込んで接続できるように形成されている。さらにまた、本発明のＩＣソケット１における位置決め台６の突部１７によってＩＣパッケージ１０のＩＣリード１１を支持して自動的に位置決めできるように形成されている。
【００３１】
上記のように構成された本発明が適用されるＩＣソケット１においては、コンタクト４の開閉操作が容易にでき、しかも、コンタクト４がＩＣパッケージ１０のＩＣリード１１と良好に接触でき、ＩＣパッケージ１０のＩＣリード１１等の外部端子との挟み込み接触が良好に行なわれて好適に接続され、さらに、ソケット本体２に対するＩＣパッケージ１０のセンターリングが得られて、コンタクト４の先端部４ａにおける接触位置が安定されて、弾性接片１２、１４がＩＣパッケージ１０のＩＣリード１１を両側から挟み込んで良好な電気的接続を容易に得ることができる。
【００３２】
従って、このように、本発明のＩＣソケット１においては、ＩＣソケット１へのＩＣパッケージ１０の挿入作業がロボット等の自動機や手作業によって好適に行うことができ、ＩＣパッケージ１０のＩＣソケット１への実装作業の効率を向上し、かつ改善することが出来る。特に、本発明のＩＣソケット１においては、ソケット本体２を形成する固定のベース基板に固設されるコンタクト４の一対の弾性接片１２、１４をカバー部材３の上下動によってコンタクト４の先端部４ａの間隔を拡げたり縮めたりして変化させることによって開閉し、コンタクト４によってＩＣリード１１を両側から挟み込んで、良好に接触して好適に接続することができるものであり、ＩＣリード１１の実装面（下面）と、その対向面（上面）に何等接触部を設けず、ＩＣリード１１の側面にコンタクト４を接触させることによってＩＣリードの実装面へのダメージを防ぐと共に、異物の付着を防ぐ等の効果が得られるものである。
【００３３】
【発明の効果】
以上説明したように、本発明の請求項１記載のＩＣソケットは、装着されたＩＣパッケージと電気的接続を形成する複数個の側面挟み込み形のコンタクトと、該コンタクトが固設されたソケット本体と、前記コンタクトを開閉する上下動可能なカバー部材とを有するＩＣソケットにおいて、前記カバー部材の上に前記ＩＣパッケージを支持する台座と位置決め台とが設けられ、該台座の突部が前記位置決め台の孔から突出して前記ＩＣパッケージを位置決めし、前記コンタクトの弾性接片が、前記カバー部材の孔に挿通され、前記カバー部材の上下動によって前記弾性接片が押圧、開放されて開閉作動され、前記カバー部材の上下動で前記コンタクトの先端部の間隔が変化されて開閉されるように形成されているので、ＩＣパッケージのＩＣリードがコンタクトの一対の弾性接片の先端部間に両側から挟み込まれて良好に接触でき、ＩＣリードの実装面へのダメージを防ぎ、異物の付着を防ぎ、かつコンタクトの開閉操作が容易かつ良好にできると共に、ＩＣパッケージの位置決めが簡単かつ確実に自動的にできて、しかも好適に製作することができる。
【００３４】
本発明の請求項２記載のＩＣソケットは、前記コンタクトが、一対のほぼＵ字形の弾性接片がほぼ平行に中立面内にて起立し、かつ先端部が中立面と直交する平面内にて前後方向に末広がりに延びるように基端部において互いに固着され、前記弾性接片の先端部間に前記ＩＣパッケージのＩＣリードが配置されて側面が挟み込まれるので、ＩＣリードの損傷と異物の付着をを防ぎ、コンタクトを簡単かつ容易に製作することができ、良好な接続を得ることができる。
【００３５】
本発明の請求項３記載のＩＣソケットは、前記弾性接片がほぼＵ字形の形状の方向とほぼ直交する方向に互いに先端部が対向方向にＹ字形に形成されているので、コンタクトの先端部間にてＩＣパッケージのＩＣリードを良好に挟持して接続することができる。
【００３６】
本発明の請求項４記載のＩＣソケットは、前記カバー部材の孔が、前記コンタクトの先端部の広がりよりも狭くなっているので、コンタクトの先端部の間隔が狭くなるように絞って先端部間にＩＣリードを挟持して良好に接続することができる。
【００３７】
本発明の請求項５記載のＩＣソケットは、前記コンタクトの弾性接片が、前記位置決め台の孔を貫通して延び、前記位置決め台が前記カバー部材と共に作動部材によって押上げられるので、ＩＣパッケージの外部接点が各コンタクトの可動弾性接片と固定弾性接片の間に挟み込まれるように嵌合されて良好に接触でき、コンタクトの開閉操作が容易かつ良好にできる。
【００３８】
本発明の請求項６記載のＩＣソケットは、前記作動部材が、ラッチレバーから形成されているので、簡単な構成に製作して、かつ確実に作動することができるように作ることができる。
【図面の簡単な説明】
【図１】本発明のＩＣソケットの一実施例の全体を示す概要斜視図である。
【図２】図１の本発明のＩＣソケットにおいて、コンタクトがＩＣパッケージのＩＣリードの側面を挟み込んだ時の断面概要部分図である。
【図３】図１の本発明のＩＣソケットにおいて、フルストローク時のコンタクトがフリーな状態の時の図２と同様な断面概要部分図である。
【図４】図３のＩＣソケットにおける平面部分図である。
【図５】コンタクトがＩＣパッケージのＩＣリードの側面を挟み込んだ時の位置決め台と作動部材とを示す図２と同様な断面概要部分図である。
【図６】フルストローク時のコンタクトがフリーな状態の時の位置決め台と作動部材とを示す図５と同様な断面概要部分図である。
【符号の説明】
１　　　ＩＣソケット
２　　　ソケット本体
３　　　カバー部材
４　　　コンタクト
５　　　台座
６　　　台板
７　　　位置決め台
８　　　作動部材
９　　　ばね部材
１０　　ＩＣパッケージ
１１　　外部端子
１２　　弾性接片
１４　　弾性接片
１５　　孔（カバー部材）
１６　　孔（台座）
１７　　突部（位置決め台）
１８　　孔（位置決め台）
【図１】
2004079274.tif 000003
【図２】
2004079274.tif 000004
【図３】
2004079274.tif 000005
【図４】
2004079274.tif 000006
【図５】
2004079274.tif 000007
【図６】
2004079274.tif 000008